(57)【要約】【課題】バッテリターミナルに接続される電線を引き出すための開口部からの砂や埃の侵入を抑えることが可能なバッテリターミナルキャップを提供する。【解決手段】バッテリターミナルに接続された電線を引き出すために形成された開口部１９に、キャップ本体側開口部１７の下縁部を基端として立設され開口部１９を覆うカバー片２０をキャップ本体２と一体に設けた。カバー片２０は、開口部１９において引き出された電線に接触して変形可能となるように薄肉状に形成されている。【選択図】  図１
2004356005.tif 000002
【特許請求の範囲】
【請求項１】
バッテリターミナルに接続された電線を引き出すために形成された開口部に、該開口部を覆い、なおかつ前記開口部において引き出された電線に接触して変形可能となるカバー片を一体に設けたことを特徴とするバッテリターミナルキャップ。
【請求項２】
前記カバー片を、薄肉状に形成したことを特徴とする請求項１に記載のバッテリターミナルキャップ。
【請求項３】
前記カバー片を、外側に向かって傾くように形成したことを特徴とする請求項１又は２のいずれかに記載のバッテリターミナルキャップ。
【請求項４】
前記カバー片の少なくとも先端側を、外側に向かうＲ形状に形成したことを特徴とする請求項１，２又は３のいずれかに記載のバッテリターミナルキャップ。
【請求項５】
前記カバー片を、前記開口部の幅方向両側から幅方向略中央まで延びる一対の部材で形成したことを特徴とする請求項１，２，３又は４のいずれかに記載のバッテリターミナルキャップ。
【請求項６】
前記一対の部材の側縁部のうち、前記開口部において引き出される電線との当接部分を、Ｒ形状に形成したことを特徴とする請求項５に記載のバッテリターミナルキャップ。
【請求項７】
バッテリターミナルに接続された電線を引き出すために形成された開口部に、該開口部において引き出された電線まで延び、なおかつ該電線に接触して変形可能となる当接片を一体に設けたことを特徴とするバッテリターミナルキャップ。
【発明の詳細な説明】
【０００１】
【発明の属する技術分野】
本発明は、車両に搭載されたバッテリのバッテリポストに取り付けられたバッテリターミナルに被せるバッテリターミナルキャップに関する。
【０００２】
【従来の技術】
車両に搭載されているバッテリのバッテリポストに取り付けられたバッテリターミナルには、電流がリークしないように絶縁するといった目的や、バッテリターミナルや、バッテリに接続される電線の端末に設けられバッテリターミナルに接続される電線ターミナルに、水分や埃が付着するのを防ぐといった目的から、樹脂製のバッテリターミナルキャップが被せられる。従来、このようなバッテリターミナルキャップとして、種々のものが知られている（例えば、特許文献１参照。）。
【０００３】
バッテリターミナルキャップには、バッテリターミナルに被せたときに、バッテリターミナルと接続されている電線を引き出すための開口部が形成されている。
【０００４】
【特許文献１】
特開２０００−８２４５８号公報
【０００５】
【発明が解決しようとする課題】
ここで、バッテリターミナルに接続される電線の引き出し方向や数は、エンジンルーム内のレイアウト等によって決まり、このエンジンルーム内のレイアウトは車両毎に異なっていることから、バッテリターミナルに接続される電線の引き出し方向や数も車両毎に異なっているのが現状である。したがって、バッテリターミナルキャップにおける開口部の形成位置や数は、車両によって異なるものとなる。
【０００６】
このように車両によって開口部の形成位置や数を変える必要があるバッテリターミナルキャップにあっては、汎用性を持たせるために、開口部の形成位置や数を、車両毎に異なるものとせず、予め想定される電線引き出し位置に開口部を複数形成しておくことも考えられる。
【０００７】
しかし、このようなバッテリターミナルキャップを用いた場合、かかるバッテリターミナルキャップをバッテリターミナルに被せたときに、使用されない開口部が生じる可能性があり、かかる未使用の開口部から砂や埃がバッテリターミナルキャップの中に侵入してしまう可能性がある。
【０００８】
一方、車両毎に開口部の形成位置や数を変えた場合、形成された開口部からは必ず電線が引き出され、未使用の開口部は生じない。しかし、開口部は、そこから引き出される電線よりも余裕をもって大きく形成されていることから、電線が引き出された開口部においても、電線との間に隙間が生じ、砂や埃が侵入するおそれがある。このようなことは、前記のように汎用性を持たせたバッテリターミナルキャップにおける電線が引き出された開口部においても生じる。
【０００９】
本発明の目的は、バッテリターミナルに接続される電線を引き出すための開口部からの砂や埃の侵入を抑えることが可能なバッテリターミナルキャップを提供することにある。
【００１０】
【課題を解決するための手段】
上記目的を達成するために、請求項１に記載の発明は、バッテリターミナルに接続された電線を引き出すために形成された開口部に、該開口部を覆い、なおかつ前記開口部において引き出された電線に接触して変形可能となるカバー片を一体に設けたことを特徴とする。
【００１１】
このような請求項１に記載の本発明によれば、前記開口部が前記カバー片によって覆われていることから、電線が引き出されない未使用の開口部があったとしても、そこから砂や埃が侵入する可能性が極めて少ない。また、前記カバー片は開口部を覆っているものの、開口部において引き出される電線に接触して変形することができるので、開口部において電線を引き出すことができる。さらに、電線が引き出されている開口部においては、引き出された電線に接触して変形したカバー片により、キャップ内に砂や埃が侵入することを防止することができる。
【００１２】
請求項２に記載の発明は、前記カバー片を、薄肉状に形成したことを特徴とする。
【００１３】
このような請求項２に記載の本発明によれば、前記開口部を覆うカバー片は、薄肉状に形成されているので、開口部において引き出された電線に接触した際に変形しやすい。これにより、開口部において容易に電線を引き出すことができる。
【００１４】
請求項３に記載の発明は、前記カバー片を、外側に向かって傾くように形成したことを特徴とする。
【００１５】
このような請求項３に記載の本発明によれば、前記開口部において電線を引き出す際に、前記カバー片がキャップ内に入りにくくなる。これにより、カバー片がキャップ内に入ることによってバッテリターミナルにバッテリターミナルキャップを被せることが困難となり作業性が著しく低下するといった事態を生じにくくすることができる。
【００１６】
請求項４に記載の発明は、前記カバー片の少なくとも先端側を、外側に向かうＲ形状に形成したことを特徴とする。
【００１７】
このような請求項４に記載の本発明によれば、前記開口部において電線を引き出す際に、前記カバー片がキャップ内に入りにくくなるとともに、カバー片によって電線が傷つくことを防止することができる。
【００１８】
請求項５に記載の発明は、前記カバー片を、前記開口部の幅方向両側から幅方向略中央まで延びる一対の部材で構成したことを特徴とする。
【００１９】
このような請求項５に記載の本発明によれば、前記カバー片を構成する前記一対の部材のそれぞれの長さを短くすることができ、これにより、前記開口部において電線を引き出す際に、万が一キャップ内に前記一対の部材が入ってしまっても、キャップ内に入る長さが短いことから、バッテリターミナルにバッテリターミナルキャップを被せるときの作業性が著しく低下するといった事態を防止することができる。
【００２０】
請求項６に記載の発明は、前記一対の部材の側縁部のうち、前記開口部において引き出される電線との当接部分を、Ｒ形状に形成したことを特徴とする請求項５に記載のバッテリターミナルキャップ。
【００２１】
このような請求項６に記載の本発明によれば、開口部において引き出された電線に接触して変形する前記一対の部材の側縁部のうち、前記電線との当接部分が、Ｒ形状に形成されているので、バッテリターミナルキャップをバッテリターミナルに被せる際に、開口部において引き出される電線が傷つくことを防止することができる。
【００２２】
請求項７に記載の発明は、バッテリターミナルに接続された電線を引き出すために形成された開口部に、該開口部において引き出された電線まで延び、なおかつ該電線に接触して変形可能となる当接片を一体に設けたことを特徴とする。
【００２３】
このような請求項７に記載の本発明によれば、開口部において引き出された電線まで延びる当接片により、電線が引き出された開口部において生じる隙間を埋めることができる。これにより、キャップ内に砂や埃が侵入する可能性を極めて少なくすることができる。
【００２４】
【発明の実施の形態】
以下、図面を参照して本発明に係るバッテリターミナルキャップの実施の形態について詳細に説明する。
図１は本発明に係るバッテリターミナルキャップの実施の形態の第１例を示す斜視図、図２は図１に示すバッテリターミナルキャップを裏面から見た斜視図である。
【００２５】
図に示した本例のバッテリターミナルキャップ１は、車両に搭載されたバッテリのバッテリポストに取り付けられたバッテリターミナル（不図示）を覆うとともに、バッテリに接続される電線の端末に設けられバッテリターミナルに接続される電線ターミナル（不図示）を覆い、周囲の物体がバッテリターミナルや電線ターミナルに接触してリークしたり、水分や埃がバッテリターミナル及び電線ターミナルに付着したりしないように保護する役目を果たすように形成されている。
【００２６】
バッテリターミナルキャップ１は、絶縁性を有する合成樹脂材料を射出成型することにより形成されており、キャップ本体２とこのキャップ本体２にヒンジ３を介して開閉自在に連結された蓋体４とを備えて構成されている。
【００２７】
キャップ本体２は、ドーム状に形成された第一本体部５と、この第一本体部５から連成された第二本体部６とを有している。
【００２８】
第一本体部５は、バッテリターミナルのバッテリポストに取り付けられる側を配置するための部分に形成されている。この第一本体部５は下部が開口した状態となっている。
【００２９】
第一本体部５の天井部７には、キャップ本体２をバッテリターミナルに被せるときに、バッテリターミナルに当接させる平面視略Ｈ状の位置決め突起８が設けられている。この位置決め突起８は、第一本体部５の天井部７から下部に向かってキャップ本体２の高さ方向略中央部まで形成されている。
【００３０】
また、第一本体部５の天井部７には、バッテリターミナル当接壁９が設けられている。このバッテリターミナル当接壁９は、キャップ本体２をバッテリターミナルに被せたときに、その下縁部９ａがバッテリターミナルに当接するようになっており、天井部７から下部に向かって前記位置決め突起８とほぼ同様の長さに形成されている。
【００３１】
前記第二本体部６は、バッテリターミナルの電線ターミナルが接続される側と電線ターミナルとを配置するための部分に形成されており、ヒンジ３が設けられた側壁１０と、側壁１１，１２、及び電線ターミナルを配置するための部分の下部に設けられた底板１３とを備えて構成されている。
【００３２】
この第二本体部６の、バッテリターミナルの電線ターミナルが接続される側を配置するための部分の下部は、第一本体部５の下部から連続して開口した状態となっている。これにより、バッテリポストに取り付けられたバッテリターミナルにキャップ本体２を上方から被せて取り付けることができるようになっている。
【００３３】
第二本体部６の開口した状態となっている部分は、側壁１０，１２の下部に一体に設けられた一対のバッテリターミナル係止片１４，１４を有している。
【００３４】
この一対のバッテリターミナル係止片１４，１４は、キャップ本体２をバッテリターミナルに被せるときに、キャップ本体２をバッテリターミナルに仮係止するためのものである。かかる一対のバッテリターミナル係止片１４，１４は、側壁１０，１２の下部から斜め上方に向かって延びる基部１４ａ，１４ａと、この基部１４ａ，１４ａの先端から上方に向かって延びるようにして形成されバッテリターミナルに接触して係止し合うバッテリターミナル係止部１４ｂ，１４ｂとから構成され、バッテリターミナルに接触して変形可能となるように形成されている。
【００３５】
前記第二本体部６の電線ターミナルを配置するための部分に設けられた底板１３には、同じ長さだけ突出するようにして形成され、電線ターミナルを受けてこれを配置する電線ターミナル受け部１５，１６が設けられている。
【００３６】
前記側壁１１，１２には、キャップ本体側開口部１７，１７がそれぞれ形成されている。一方、前記蓋体４の、キャップ本体側開口部１７，１７に対応する位置には、蓋体側開口部１８，１８がそれぞれ形成されている。そして、キャップ本体側開口部１７，１７と蓋体側開口部１８，１８とで、電線ターミナルに接続された電線、即ち、バッテリターミナルに電線ターミナルを介して接続された電線を引き出すための開口部１９，１９が構成されている。
開口部１９，１９には、本発明の要旨であるカバー片２０，２０がキャップ本体２と一体に設けられている。
【００３７】
このカバー片２０は、キャップ本体側開口部１７の下縁部を基端として立設され、キャップ本体側開口部１７と蓋体側開口部１８とで構成される開口部１９を覆う長さ及び幅を有するように形成されている。そして、カバー片２０は、開口部１９において引き出された電線に接触して変形可能となるように、薄肉状に形成されている。具体的には、カバー片２０は、側壁１１，１２の肉厚よりも薄く形成され、開口部１９において引き出された電線が接触したときに変形しやすくなっている。かかるカバー片２０の先端側は、外側に向かってＲ形状に形成されている。
【００３８】
なお、このカバー片２０は、蓋体側開口部１８側を基端として設けられていてもよい。
【００３９】
また、カバー片２０は、図示しないが先端側の角部がＲ形状に形成されていてもよい。このように形成することにより、開口部１９において引き出された電線が傷付くことを防止できる。
【００４０】
さらに、カバー片２０は、本例では一枚の板状に形成されているが、これに限らず、例えば短冊状に分けて形成されていてもよい。
【００４１】
前記側壁１１には、蓋体４の後述する係止突起が係止するコ字状の係止部２１，２１が設けられている（一つは一部のみ図示してある）。
【００４２】
前記蓋体４はヒンジ３が設けられた側壁２２、前記蓋体側開口部１８，１８が形成された側壁２３，２４、及び側壁２５と、天井壁２６を備えて構成されている。
【００４３】
天井壁２６には、蓋体４を閉じたときにバッテリターミナルを受けるためのバッテリターミナル受け部２７と、バッテリターミナルに接続された電線ターミナルを受けるための電線ターミナル受け部２８，２９とが立設されている。
【００４４】
前記側壁２４の前記キャップ本体２の前記係止部２１に対応する位置には、蓋体４を閉じたときに前記係止部２１と係止し合う係止突起３０，３０が設けられている。
【００４５】
以上のように構成されたバッテリターミナルキャップ１をバッテリターミナルに取り付ける作業は次のようにして行う。
まず、バッテリポストに取り付けたバッテリターミナルにキャップ本体２を被せる。具体的には、バッテリターミナルのバッテリポストに取り付けられる側がキャップ本体２の第一本体部５に配置され、バッテリターミナルの電線ターミナルが接続される側が第二本体部６の一部に配置されるようにしてキャップ本体２をバッテリターミナルに被せる。このとき、位置決め突起８にバッテリターミナルを当接させて位置決めを行うとともに、前記一対のバッテリターミナル係止片１４，１４をバッテリターミナルの電線ターミナル側に係止させ、バッテリターミナルに対しバッテリターミナルキャップ１を仮止めの状態におく。
【００４６】
次に、このようにバッテリターミナルキャップ１が仮止めの状態におかれたバッテリターミナルに、電線ターミナルを接続する。その後、この電線ターミナルに接続されている電線をキャップ本体側開口部１７から引き出す。電線ターミナルに２本の電線が接続されている場合には、２つのキャップ本体側開口部１７，１７からそれぞれ電線を引き出し、１本しか電線が接続されていない場合には、いずれかのキャップ本体側開口部１７から電線を引き出す。このときキャップ本体側開口部１７からの電線の引き出しにあたっては、カバー片２０に電線を接触させることによりカバー片２０を外側に曲げるようにして変形させ（図中の矢印）、開口部１９から電線を引き出す。このようにして電線を引き出した後、蓋体４の係止突起３０，３０をキャップ本体２の係止部２１，２１に係止させ、蓋体４をキャップ本体２に係止させることにより、バッテリターミナルへのバッテリターミナルキャップ１の取り付けが完了する。
【００４７】
以上、本例のバッテリターミナルキャップ１によれば、開口部１９がカバー片２０によって覆われていることから、電線ターミナルに接続されている電線が１本しかなく、いずれかの開口部１９において電線が引き出されなかったとしても、かかる未使用の開口部１９から砂や埃が侵入する可能性が極めて少ない。また、前記カバー片２０は開口部１９を覆っているものの、開口部１９において引き出される電線に接触して変形することができるので、開口部１９において電線を引き出すことができる。さらに、電線が引き出されている開口部１９においては、引き出された電線に接触して変形したカバー片２０により、キャップ本体２内に砂や埃が侵入することを防止することができる。
【００４８】
また、前記カバー片２０の先端側は、外側に向かってＲ形状に形成されているので、カバー片２０によって電線を傷つけてしまうことがない。また、前記開口部１９において電線を引き出す際に、カバー片２０がキャップ本体２内に入りにくくなる。これにより、カバー片２０がキャップ本体２内に入ってバッテリターミナルにバッテリターミナルキャップを被せることが困難となり作業性が著しく低下するといった事態を生じにくくすることができる。
【００４９】
次に、本発明に係るバッテリターミナルキャップの実施の形態の第２例について説明する。
図３は本例のバッテリターミナルキャップを示す斜視図、図４は図３に示すバッテリターミナルキャップを裏面から見た斜視図である。
【００５０】
本例のバッテリターミナルキャップ４０は、図示しないが、バッテリターミナルに接続される電線ターミナルが、Ｌ字形状のものである場合に用いられるものである。この電線ターミナルは、バッテリターミナルに接続される電気接触部と電線に接続される電線接続部とを、曲げ部を挟んで両端部に有している。そして、かかる電線ターミナルは、電気接触部側にも、横方向に引き出される電線が接続されるように構成されている。
【００５１】
バッテリターミナルキャップ４０は、上記実施の形態の第１例のバッテリターミナルキャップ１と同様の役目を果たすように形成されており、絶縁性を有する合成樹脂材料を射出成型することにより形成されていて、キャップ本体４１を備えている。
【００５２】
キャップ本体４１は、第一本体部４２と第二本体部４３とを有しており、第一本体部４２と第二本体部４３とをＬ字状に連続配置することにより形成されている。
【００５３】
前記第一本体部４２は、バッテリターミナルと、バッテリターミナルに接続される電線ターミナルの電気接触部側とを配置するための部分に形成されている。
【００５４】
この第一本体部４２の天井部４４には、キャップ本体４１をバッテリターミナルに被せて取り付けるときにバッテリターミナルに当接させる平面視略Ｈ状の位置決め突起４５が設けられている。この位置決め突起４５は、第一本体部４２の天井部４４から、下部に向かって高さ方向略中央部まで形成されている。
【００５５】
また、第一本体部４２の天井部４４には、バッテリターミナルを受けてこれを配置するバッテリターミナル受け部４６と、バッテリターミナルに接続された電線ターミナルの電気接触部側を受けてこれを配置する電線ターミナル受け部４７とが立設されている。
【００５６】
さらに、第一本体部４２の天井部４４には、前記電線ターミナル受け部４７の前記バッテリターミナル受け部４６側の近傍に、キャップ本体４１を電線ターミナルに係止させるための一対の係止突起４８，４８が一体に設けられている。
【００５７】
この係止突起４８は、先端部に電線ターミナルの電気接触部側と係止し合う係止突部４９を有しており、またキャップ本体４１を電線ターミナルに係止させる際に横方向に開くよう可撓弾性を有するようにして形成されている。
【００５８】
前記係止突起４８の先端部の係止突部４９は、該係止突部４９と前記電線ターミナル受け部４７との間に電線ターミナルを配置することができるように形成されている。
【００５９】
また、前記第一本体部４２には、電線ターミナルの電気接触部側に接続された電線を引き出すための開口部５０が形成されている。
【００６０】
開口部５０には、本発明の要旨であるカバー片５１が第一本体部４２と一体に設けられている。このカバー片５１は、開口部５０の天井部４４側を基端として設けられていて、開口部５０を覆う長さ及び幅を有するように形成されている。そして、カバー片５１は、上記実施の形態の第１例と同様、開口部５０において引き出された電線に接触して変形可能となるように薄肉状に形成されている。
【００６１】
なお、カバー片５１は、図示しないが上記実施の形態の第１例と同様、先端側が外側に向かってＲ形状に形成されていてもよく、また、短冊状に分けて形成されていてもよい。
【００６２】
前記第二本体部４３は、前記第一本体部４２の一端側に対し直交するようにして連成されている。この第二本体部４３は、電線ターミナルの電線接続部側を配置するための部分に形成されている。そして、第二本体部４３は、第一本体部４２と連成されている側とは反対側の端部が開口状態にあり、電線ターミナルに接続された電線を突出させることができるようになっている。
【００６３】
キャップ本体４１の第二本体部４３には、第二本体部４３に配置された電線ターミナルの電線接続部に接続された電線に取り付けられる係止体５２が一体に設けられている。
【００６４】
係止体５２は、キャップ本体４１の第二本体部４３から一体に設けられた薄板状の可撓性を有する連結部５３と、該連結部５３の先端部に連成された電線保持部５４とから構成されている。
【００６５】
電線保持部５４は、平板状の基板部５５と基板部５５にヒンジ５６を介して開閉自在に連結された略Ｃ字状の蓋部５７とから構成されている。基板部５５には係止部５８が設けられ、蓋部５７には係止部５８と係止し合う係止突起５９が設けられている。引用符号６０は係止突起５９を係止部５８に係止させる際に蓋部５７をガイドするガイド片である。
【００６６】
以上のように構成されたバッテリターミナルキャップ４０のバッテリターミナルへの取り付けは、バッテリポストに取り付けられたバッテリターミナルに、電線ターミナルを接続した状態で行う。具体的には次のようにして行う。
【００６７】
先ず、キャップ本体４１をバッテリターミナル及び電線ターミナルに上方から被せる。具体的には、バッテリターミナル及び電線ターミナルの電気接触部側が第一本体部４２に配置され、電線ターミナルの電線接続部側が第二本体部４３に配置されるようにして、キャップ本体を被せる。このとき、位置決め突起４５にバッテリターミナルを当接させて位置決めを行うとともに、一対の係止突起４８，４８を電線ターミナルの電気接触部側に係止させる。そして、電線ターミナルの電線接続部側に接続された電線を第二本体部４３の端部から突出させる。
【００６８】
その後、係止体５２を第二本体部４３の端部から突出する電線に取り付ける。この係止体５２の取り付けは、具体的には、係止体５２の連結部５３を屈曲させ、電線保持部５４によって電線を保持させることにより行う。電線保持部５４による電線の保持にあたっては、先ず電線保持部５４の基板部５５に電線を配置する。そして、かかる基板部５５の係止部５８に蓋部５７の係止突起を係止させて蓋部５７を基板部に係止させる。これにより、電線保持部５４によって電線が保持される。
【００６９】
また、バッテリターミナルキャップ４０の取り付けにあたっては、電線ターミナルの長手方向と直交する方向に延びる電気接触部側に接続された電線を、開口部５０から引き出す。具体的には、開口部５０からの電線の引き出しは、カバー片５１に電線を接触させることによりカバー片５１を外側に曲げるようにして変形させることにより（図中の矢印）行う。以上により、バッテリターミナルへのバッテリターミナルキャップ４０の取り付けが完了する。
【００７０】
以上、本例のバッテリターミナルキャップ４０によれば、開口部５０を覆うカバー片５１が、開口部５０において引き出される電線に接触して変形することができるので、開口部５０において電線を引き出すことができるとともに、開口部５０においては、引き出された電線に接触して変形したカバー片５１により、キャップ本体４１内に砂や埃が侵入することを防止することができる。また、電線ターミナルの電気接触部側に電線が接続されておらず、開口部５０から電線が引き出されない場合であっても、開口部５０はカバー片５１によって覆われていることから、開口部５０から砂や埃が侵入する可能性が極めて少ない。
【００７１】
なお、図示しないが、カバー片５１はその基端部から外側に向かって傾くようにして形成されていてもよい。この場合、開口部５０において電線を引き出す際に、前記カバー片５１がキャップ本体４１内に入りにくくなる。これにより、カバー片５１がキャップ本体４１内に入ることによりバッテリターミナルにバッテリターミナルキャップを被せることが困難となり作業性が著しく低下するといった事態を生じにくくすることができる。
【００７２】
また、図示しないが、カバー片５１は前記実施の形態の第１例と同様、先端側が外側に向かうＲ形状に形成されていてもよい。
【００７３】
前記一対の係止突起４８，４８は、本例のバッテリターミナルキャップ４１とは別の形状のものにおいて、真横に開くスペースがない場合には、図５及び図６に示すものであってもよい。
【００７４】
図５及び図６に示された一対の係止突起７０，７０は、それぞれ、先端部に係止突部７１を有し基部７２から立設された突起本体７３を有している。この突起本体７３は樹脂製の基部７２と一体に形成され可撓弾性を有するようにして形成されている。
【００７５】
突起本体７３には、基部７２から立設されたリブ７４が一体に設けられている。このリブ７４は、突起本体７３から垂直に立ち上がり途中から斜め方向に屈曲するようにして形成されている。リブ７４の下部には、基部７２から立設されリブ７４から連続して形成されて該リブ７４を補強する補強リブ７５が設けられている。
【００７６】
このように構成された係止突起７０は、バッテリターミナルにバッテリターミナルキャップを取り付けるにあたり、電線ターミナルなどの被係止物に係止させる際、横方向に押圧される力がかかると、係止突起７０の突起本体７３にはリブ７４が一体に設けられていることから、このリブ７４の方向には開かない。すなわち、係止突起７０を被係止物に係止させる際、係止突起７０は、真横には開かず、リブ７４の屈曲方向とは逆の斜め方向（図６中の矢印）に開く。したがって、バッテリターミナルにバッテリターミナルキャップを取り付けるにあたり、係止突起を被係止物に係止させる際に係止突起が真横に広がるスペースがない場合であっても、このような係止突起７０を用いれば、係止突起７０を被係止物に係止させてバッテリターミナルにバッテリターミナルキャップを取り付けることができる。
【００７７】
次に、本発明に係るバッテリターミナルキャップの実施の形態の第３例について説明する。
図７は本例のバッテリターミナルキャップを示す斜視図である。
【００７８】
本例のバッテリターミナルキャップ８０にあっては、開口部５０に設けられたカバー片８１は、一対の部材８２，８２によって構成されている。
【００７９】
カバー片８１を構成する一対の部材８２，８２は、開口部５０の幅方向両側を基端部として、キャップ本体４１と一体に設けられている。そして、一対の部材８２，８２は、開口部５０の幅方向略中央部まで延びるようにして形成され開口部５０を覆うようにして形成されている。また、一対の部材８２，８２は、外側に向かうＲ形状に形成され、外側に向かって傾くようにして形成されているとともに、開口部５０において引き出された電線に接触して変形可能となるように薄肉状に形成されている。
【００８０】
一対の部材８２，８２は、開口部５０の開口側の角部８３，８３（請求の範囲でいう側縁部）が、Ｒ形状に形成されている。このＲ形状に形成された角部８３は、バッテリターミナルキャップ８０をバッテリターミナルに上方から被せる際、開口部５０において引き出される電線との当接部分となっている。
【００８１】
その他の構成については上記実施の形態の第２例と同様であり、対応する構成については同一の符号を付けて示している。
【００８２】
このように構成されたバッテリターミナルキャップ８０のバッテリターミナルへの取り付けは、開口部５０における電線の引き出し以外については上記実施の形態の第２例と同様にして行う。開口部５０における電線の引き出しは、カバー片８１を構成する一対の部材８２，８２に電線を接触させることにより、一対の部材８２，８２を、それぞれ外側に曲げるようにして変形させ観音開き状に開くことにより行う。
【００８３】
以上、本例のバッテリターミナルキャップ８０によれば、上記実施の形態の第２例と同様の効果を得ることができるとともに、カバー片８１を構成する一対の部材８２，８２は、外側に向かうＲ形状に形成され外側に向かって傾くようにして形成されているので、該一対の部材８２，８２がキャップ本体４１内に入りにくい。また、万が一キャップ内に一対の部材８２，８２が入ってしまったとしても、該一対の部材８２，８２は、それぞれ開口部５０の幅方向両側から幅方向略中央部までしか形成されていないことから、キャップ本体４１内に入る長さが短く、バッテリターミナルにバッテリターミナルキャップを被せるときの作業性が著しく低下するといった事態を防止することができる。
【００８４】
また、バッテリターミナルキャップ８０をバッテリターミナルに上方から被せる際、一対の部材８２，８２が電線に当接する部分である角部８３，８３は、Ｒ形状に形成されているので、開口部５０において引き出される電線を傷つけずに済む。
【００８５】
次に、本発明に係るバッテリターミナルキャップの実施の形態の第４例について説明する。
図８は本例のバッテリターミナルキャップの一部拡大斜視図である。
【００８６】
本例のバッテリターミナルキャップ９０は、開口部５０において引き出される電線が必ずある場合に用いられるものである。
【００８７】
バッテリターミナルキャップ９０の開口部５０には、当接片９１が設けられている。この当接片９１は、キャップ本体４１の天井部４４側を基端部として、キャップ本体４１と一体に設けられている。そして、当接片９１は、開口部５０において引き出された電線に接触して変形可能となるように薄肉状に形成され、かつ開口部５０において引き出された電線まで延びるようにして形成されている。具体的には、当接片９１は、開口部５０の略中央部まで至る長さに形成され、先端側が開口部５０において引き出される電線に合わせて円弧状に切り欠かれるようにして形成されている。
その他の構成については上記実施の形態の第２例と同様の構成となっている。
【００８８】
このように構成されたバッテリターミナルキャップ９０のバッテリターミナルへの取り付けは、開口部５０における電線の引き出し以外については上記実施の形態の第２例と同様にして行う。開口部５０における電線の引き出しは、当接片９１に電線を接触させることにより、該当接片９１を外側に曲げるようにして変形させて行う。
【００８９】
以上、本例のバッテリターミナルキャップ９０によれば、開口部５０において引き出された電線まで延びる当接片９１により、開口部５０に生じる隙間を埋めることができるので、キャップ本体４１内に砂や埃が侵入する可能性が極めて少ない。また、当接片９１は開口部５０において引き出される電線に接触して変形可能となっているので、開口部５０において電線を引き出すことができる。
【００９０】
さらに、当接片９１は、開口部５０において電線を引き出す際に、万が一キャップ本体４１内に入ってしまったとしても、キャップ本体４１内に入る長さが短いことから、バッテリターミナルにバッテリターミナルキャップを被せるときの作業性が著しく低下するといった事態を防止することができる。
【００９１】
【発明の効果】
以上説明したように請求項１に記載の発明によれば、電線が引き出されない未使用の開口部があったとしても、開口部がカバー片によって覆われていることから、かかる開口部から砂や埃が侵入する可能性が極めて少ない。また、開口部を覆っているカバー片は開口部において引き出される電線に接触して変形することができるので、開口部において電線を引き出すことができる。さらに、電線が引き出されている開口部においては、引き出された電線に接触して変形したカバー片により、キャップ内に砂や埃が侵入することを防止することができる。
【００９２】
請求項２に記載の発明によれば、カバー片が開口部において引き出される電線に接触して変形することができるので、前記開口部において電線を引き出すことができる。
【００９３】
請求項３に記載の発明によれば、前記開口部において電線を引き出す際に、前記カバー片がキャップ内に入りにくくなり、これにより、バッテリターミナルにバッテリターミナルキャップを被せる際の作業性が著しく低下するといった事態を生じにくくすることができる。
【００９４】
請求項４に記載の発明によれば、前記開口部において電線を引き出す際に、前記カバー片がキャップ内に入りにくくなるとともに、カバー片によって電線が傷つくことを防止することができる。
【００９５】
請求項５に記載の発明によれば、前記カバー片を構成する前記一対の部材のそれぞれの長さを短くすることができ、これにより、前記開口部において電線を引き出す際に、万が一キャップ内に前記一対の部材が入ってしまっても、キャップ内に入る長さが短いことから、バッテリターミナルにバッテリターミナルキャップを被せるときの作業性が著しく低下するといった事態を防止することができる。
【００９６】
請求項６に記載の発明によれば、バッテリターミナルキャップをバッテリターミナルに被せる際に、開口部において引き出される電線が傷つくことを防止することができる。
【００９７】
請求項７に記載の発明によれば、開口部において引き出された電線まで延びる当接片により、電線が引き出された開口部において生じる隙間を埋めることができる。これにより、キャップ内に砂や埃が侵入する可能性を極めて少なくすることができる。
【図面の簡単な説明】
【図１】本発明に係るバッテリターミナルキャップの実施の形態の第１例を示す斜視図。
【図２】図１に示すバッテリターミナルキャップを裏面から見た斜視図。
【図３】本発明に係るバッテリターミナルキャップの実施の形態の第２例を示す斜視図。
【図４】図３に示すバッテリターミナルキャップを裏面から見た斜視図。
【図５】係止突起の他例を示す斜視図。
【図６】図５の平面図。
【図７】本発明に係るバッテリターミナルキャップの実施の形態の第３例を示す斜視図。
【図８】本発明に係るバッテリターミナルキャップの実施の形態の第４例の一部拡大斜視図。
【符号の説明】
１，４０，８０，９０  バッテリターミナルキャップ
１９，５０  開口部
２０，５１，８１  カバー片
８２  一対の部材
９１  当接片
【図１】
2004356005.tif 000003
【図２】
2004356005.tif 000004
【図３】
2004356005.tif 000005
【図４】
2004356005.tif 000006
【図５】
2004356005.tif 000007
【図６】
2004356005.tif 000008
【図７】
2004356005.tif 000009
【図８】
2004356005.tif 000010